(57)【要約】【課題】カッター羽根の摺動範囲が制約を受けることがなく、カッター羽根を容易に交換することができる新規なスポットライトのフレーミングカッター機構を提供する。【解決手段】４層の隙間６ａ〜６ｄに夫々１枚づつカッター羽根７ａ〜７ｄを差し込む４スロット４枚羽根構造であるため、夫々のカッター羽根７ａ〜７ｄの摺動範囲が制約を受けることがない。夫々のカッター支承板５ａ〜５ｄにカッター羽根の挿入ガイド部１３ａ〜１３ｄを設けたので、カッター羽根７ａ〜７ｄを間違って隣の隙間に挿入してしまう虞れを低減し、カッター羽根７ａ〜７ｄを容易に交換することができる。【選択図】　図２
2004055216.tif 000002
【特許請求の範囲】
【請求項１】
中央部に透口を開穿した５枚のカッター支承板を重ね合わせて隣り合うカッター支承板同士により、カッター羽根を差し込む隙間を４層形成すると共に、光軸を囲むよう上下左右に配される４枚のカッター羽根を、各々異なる隙間に摺動自在に挿入して、前記透口を通過する光を任意枠形にカットするようにしたフレーミングカッター機構であって、
前記各カッター支承板におけるカッター羽根が挿入される側の外周縁部分を外側へ湾曲させて、前記隙間に対するカッター羽根の挿入をガイドする挿入ガイド部を形成したことを特徴とするスポットライトのフレーミングカッター機構。
【請求項２】
上記各カッター支承板における挿入ガイド部の周方向両端に、カッター羽根の略半円状カッター部の左右側縁が引っ掛かって隙間からのカッター羽根の引き抜きを規制する規制面を設けると共に、各カッター羽根の操作用把手の側縁に、前記挿入ガイド部の規制面が挿入されてカッター羽根の摺動範囲を拡大し、前記隙間からのカッター羽根の引き抜きを可能にする切込みを設けたことを特徴とする請求項１記載のスポットライトのフレーミングカッター機構。
【請求項３】
上記各カッター支承板とカッター羽根との密接度合いを調整して、各カッター羽根が上記隙間内で摺動自在なフリー位置と、各カッター羽根の摺動を規制するロック位置とに切換え自在なロック機構を備えたことを特徴とする請求項１又は２記載のスポットライトのフレーミングカッター機構。
【発明の詳細な説明】
【０００１】
【発明の属する技術分野】
本発明は、劇場舞台やテレビスタジオ等の演出空間で使用されるスポットライトに関し、詳しくは、投影像の照射範囲の調整を行うフレーミングカッター機構の改良に関する。
【０００２】
【従来の技術】
従来から、灯体内に電球を内蔵した光源部と、この光源部の前方に配される結像用レンズを収容したレンズ筒との間に、投影像の照射範囲の調整を行うフレーミングカッター機構を配してなるスポットライトが知られている。
【０００３】
この種フレーミングカッター機構として、中央部に透口を開穿した３枚のカッター支承板を重ね合わせてカッター羽根を差し込む隙間を２層形成し、且つ上下２枚のカッター羽根を第１の隙間に、左右２枚のカッター羽根を第２の隙間に、夫々摺動自在に挿入した、２スロット４枚羽根構造のものが多用されている。
【０００４】
【発明が解決しようとする課題】
上述した従来のフレーミングカッター機構によれば、一つの隙間に２枚のカッター羽根を挿入するので、それらカッター羽根の端部が当たってカッター羽根の摺動範囲が制約されるという問題がある。
このような問題点を解消するために、５枚のカッター支承板を重ね合わせてカッター羽根を差し込む隙間を４層形成し、一つの隙間に１枚のカッター羽根を挿入する４スロット４枚羽根構造とすれば、カッター羽根の摺動範囲が規制されることはない。
しかし乍ら、この種フレーミングカッター機構に使用されるカッター羽根はライトの熱により変形し易く、所定時間使用すると交換の必要性を生じるため、カッター羽根は上記隙間に抜き差し自在に挿入されており、上記２スロット４枚羽根構造では隙間が二つのためカッター羽根の挿入箇所を間違えることがないものの、４スロット４枚羽根構造では隙間が四つあって挿入方向も上下左右ばらばらなため、差し込む隙間を間違えて同じ隙間に２枚のカッター羽根が差し込まれてしまう可能性があった。
【０００５】
本発明は上述した従来事情に鑑みてなされたもので、その目的とするところは、カッター羽根の摺動範囲が制約を受けることがなく、かつカッター羽根を容易に交換することができる新規なスポットライトのフレーミングカッター機構を提供することにある。
【０００６】
【課題を解決するための手段】
上記目的を達成するために本発明の請求項１では、中央部に透口を開穿した５枚のカッター支承板を重ね合わせて隣り合うカッター支承板同士により、カッター羽根を差し込む隙間を４層形成すると共に、光軸を囲むよう上下左右に配される４枚のカッター羽根を、各々異なる隙間に摺動自在に挿入して、前記透口を通過する光を任意枠形にカットするようにしたフレーミングカッター機構であって、前記各カッター支承板におけるカッター羽根が挿入される側の外周縁部分を外側へ湾曲させて、前記隙間に対するカッター羽根の挿入をガイドする挿入ガイド部を形成したことを特徴とする。
【０００７】
このように構成した場合、４層の隙間に夫々１枚づつカッター羽根を差し込む４スロット４枚羽根構造であるため、夫々のカッター羽根の摺動範囲が制約を受けることがなく、且つ、夫々のカッター支承板にカッター羽根の挿入ガイド部を設けたので、カッター羽根を間違って隣の隙間に挿入してしまう虞れを低減し、カッター羽根を容易に交換することができる。
【０００８】
請求項２では、上記各カッター支承板における挿入ガイド部の周方向両端に、カッター羽根の略半円状カッター部の左右側縁が引っ掛かって隙間からのカッター羽根の引き抜きを規制する規制面を設けると共に、各カッター羽根の操作用把手の側縁に、前記挿入ガイド部の規制面が挿入されてカッター羽根の摺動範囲を拡大し、前記隙間からのカッター羽根の引き抜きを可能にする切込みを設けたことを特徴とする。
【０００９】
このように構成した場合、挿入ガイド部の両端に設けた規制面によりカッター羽根の引き抜きが防止されるので、投光中に誤ってカッター羽根が脱落してしまうような虞れがなく、且つ、その規制面を切込みに挿入すればカッター羽根の摺動範囲がその切込みの長さ分だけ拡大され、カッター羽根を隙間から容易に引き抜くことができる。
【００１０】
請求項３では、上記各カッター支承板とカッター羽根との密接度合いを調整して、各カッター羽根が上記隙間内で摺動自在なフリー位置と、各カッター羽根の摺動を規制するロック位置とに切換え自在なロック機構を備えたことを特徴とする。
【００１１】
このように構成した場合、ロック機構をフリー位置に操作すれば、各カッター支承板とカッター羽根との密接度合いが緩和されて各カッター羽根の摺動が自在となり、ロック機構をロック位置に切り替えれば、各カッター支承板とカッター羽根との密接度合いが強くなり、各カッター羽根の摺動が規制される。
【００１２】
【発明の実施の形態】
以下、本発明に係るフレーミングカッター機構を採用したスポットライトの実施形態の一例を図面を参照して説明する。図１は本例のスポットライトの概要を示す側面図で、図中ａは、電球１ａや反射鏡１ｂ等の光源部を内蔵したランプハウス１の前方に、一又は複数のレンズを収容したレンズ筒２を配すると共に、そのランプハウス１とレンズ筒２の間に固定状に配したケース３内に、フレーミングカッター機構４を収容してなる灯体を表し、該灯体ａは灯体支持具ｂでそのチルト角度を調整自在に支持されている。
【００１３】
フレーミングカッター機構４は、図２に示すように、中央部に透口５’を開穿した５枚のカッター支承板５ａ，５ｂ，５ｃ，５ｄ，５ｅを重ね合わせて隣り合うカッター支承板同士により、カッター羽根を差し込む隙間６ａ，６ｂ，６ｃ，６ｄを４層形成すると共に、光軸Ｌを囲むよう上下左右に配される４枚のカッター羽根７ａ，７ｂ，７ｃ，７ｄを、各々異なる隙間６ａ，６ｂ，６ｃ，６ｄに摺動自在に挿入して、前記透口５’を通過する光を任意枠形にカットするようになっている。
上記各カッター支承板５ａ〜５ｅと各カッター羽根７ａ〜７ｄは、中央部に透口８’を開穿した前後の保持板８ａ，８ｂ間に収容されている。
【００１４】
前後の保持板８ａ，８ｂは上記ケース３の内部に固定されるもので、その外周四箇所にフランジ９ａ，９ｂを等間隔毎に折り曲げ形成し、対向するフランジ９ａ，９ｂ同士を重ね合わせてネジ１０により締結することで、各カッター支承板５ａ〜５ｅ、各カッター羽根７ａ〜７ｄ、ロック機構２０を前後の保持板８ａ，８ｂで挟持するようになっている。
【００１５】
夫々のカッター羽根７ａ〜７ｄは、略半円形状のカッター部７１の中心に沿って、カッター羽根の操作用把手７２を一体に連設したもので、操作用把手７２の側縁には、後述する切欠き７３が形成されている。
【００１６】
夫々のカッター支承板５ａ〜５ｅの外周四箇所には、上記フランジ９ａ，９ｂが係合して各カッター支承板５ａ〜５ｅの回転を防止する凹部１１が形成されている。
【００１７】
また夫々のカッター支承板５ａ〜５ｄにおける各カッター羽根７ａ〜７ｄが挿入される側の外周縁部分は、他の部分よりやや突出させると共に、その突出部分１２ａ，１２ｂ，１２ｃ，１２ｄの外縁を外側へ湾曲させて、前記隙間６ａ〜６ｄに対する各カッター羽根７ａ〜７ｄの挿入をガイドする挿入ガイド部１３ａ，１３ｂ，１３ｃ，１３ｄが形成されている。
【００１８】
詳しくは、図３，図４にも示すように、カッター支承板５ａと５ｂの間の隙間６ａには、カッター羽根７ａが上方から挿入されるが、カッター支承板５ａの上側の外周縁部分は、他の部分よりやや突出させると共に、その突出部分１２ａの外縁を前側の保持板８ａ側へ湾曲させて挿入ガイド部１３ａを形成し、前記隙間６ａに対するカッター羽根７ａの挿入を容易に行えるようになっている。
同様に、カッター支承板５ｂと５ｃの間の隙間６ｂには、カッター羽根７ｂが下方から挿入されるが、カッター支承板５ｂの下側の外周縁部分は、他の部分よりやや突出させると共に、その突出部分１２ｂの外縁をカッター支承板５ａ側へ湾曲させて挿入ガイド部１３ｂを形成し、前記隙間６ｂに対するカッター羽根７ｂの挿入を容易に行えるようになっている。
同様に、カッター支承板５ｃと５ｄの間の隙間６ｃには、カッター羽根７ｃが右側から挿入されるが、カッター支承板５ｃの右側の外周縁部分は、他の部分よりやや突出させると共に、その突出部分１２ｃの外縁をカッター支承板５ｂ側へ湾曲させて挿入ガイド部１３ｃを形成し、前記隙間６ｃに対するカッター羽根７ｃの挿入を容易に行えるようになっている。
同様に、カッター支承板５ｄと５ｅの間の隙間６ｄには、カッター羽根７ｄが左側から挿入されるが、カッター支承板５ｄの左側の外周縁部分は、他の部分よりやや突出させると共に、その突出部分１２ｄの外縁をカッター支承板５ｃ側へ湾曲させて挿入ガイド部１３ｄを形成し、前記隙間６ｄに対するカッター羽根７ｄの挿入を容易に行えるようになっている。
【００１９】
また、図５（イ）にも示すように、上記各カッター支承板５ａ〜５ｄに形成した各挿入ガイド部１３ａ〜１３ｄの周方向両端には、上記した凹部１１，１１が位置し、これら凹部１１に係合する上記フランジ９ａが、カッター羽根７ａ〜７ｄのカッター部７１の左右側縁７１ａ，７１ａが引っ掛かって隙間６ａ〜６ｄからのカッター羽根７ａ〜７ｄの引き抜きを規制する規制面として機能する（図５（ロ）参照）ようになっている。
【００２０】
一方、各カッター羽根７ａ〜７ｄの操作用把手７２の側縁には、前記挿入ガイド部１３ａ〜１３ｄ両端の規制面（フランジ９ａ）の何れか一方が挿入されてカッター羽根７ａ〜７ｄの摺動範囲を拡大し、前記隙間６ａ〜６ｄからのカッター羽根７ａ〜７ｄの引き抜きを可能にする切込み７３が形成されている（図６（イ）〜（ホ）参照）。
【００２１】
上記カッター支承板５ａと前側の保持板８ａとの間には、係止板２１、固定板２２、回転板２３からなるロック機構２０が内装されている。
【００２２】
係止板２１は、フランジ８ａが係合する凹部２１ａを外周四箇所に設けて保持板８ａに回転不能に密接させたもので、中央部に透口２１ｂを開穿すると共に、その透口２１ｂの周囲四箇所に、固定板２２の回転を規制する爪２１ｃが切り起し状に形成されている。
【００２３】
固定板２２は、フランジ８ａが係合する凹部２２ａを外周四箇所に設けると共に、中央部に開穿した透口２２ｂの周囲四箇所に、前記爪２１ｃが挿入される穴２２ｃを開穿して、係止板２１に回転不能に密接している。また、透口２２ｂの周囲四箇所には、回転板２３側に向かって突出する第一の山型バネ２２ｄが、切り起し状に形成されている。
【００２４】
回転板２３は、固定板２２とカッター支承板５ａとで回転自在に挟持されるもので、中央部に開穿した透口２３ａの周囲四箇所に、固定板２２側に向かって突出する第二の山型板バネ２３ｂが、切り起し状に形成されている。また、回転板２３の外周には、回転板２３を回転させる操作用の把手２３ｃが固定される凸部２３ｄが一体に形成されている。
【００２５】
回転板２３に設けた夫々の山型板バネ２３ｂの位置は、把手２３ｃを持って回転板２３を回転させることで適宜に調整することができ、これら山型板バネ２３ｂの位置を任意に調整することで、各カッター羽根７ａ〜７ｄが上記隙間６ａ〜６ｄ内で摺動自在なフリー位置と、各カッター羽根７ａ〜７ｄの摺動を規制するロック位置とに切換えられるようになっている。
すなわち、これら山型板バネ２３ｂが、固定板２２に設けた夫々の山型板バネ２２ｄと干渉する位置にある時（図７（イ）参照）は、回転板２３が各カッター羽根７ａ〜７ｄ及び各カッター支承板５ａ〜５ｅを保持板８ｂ方向に押圧し、各カッター羽根７ａ〜７ｄが各カッター支承板５ａ〜５ｅで強固に挟持されてその摺動が規制される。一方、各山型板バネ２３ｂが、固定板２２の各山型板バネ２２ｄと干渉しない位置にある時（図７（ロ）参照）は、前記押圧力が解除されて各カッター羽根７ａ〜７ｄ及び各カッター支承板５ａ〜５ｅの密接状態が緩やかになり、各カッター羽根７ａ〜７ｄは上記隙間６ａ〜６ｄ内で摺動自在となる。
【００２６】
以上の構成になる本例のフレーミングカッター機構は、５枚のカッター支承板５ａ〜５ｅを重ね合わせて形成した４層の隙間６ａ〜６ｄに、夫々１枚づつ上下左右のカッター羽根７ａ〜７ｄを差し込む４スロット４枚羽根構造であるため、各カッター羽根７ａ〜７ｄを各々隙間６ａ〜６ｄ内で自由に摺動させて、上記光源部から放射され透口５’を通過する光を、任意枠形にカットすることができる。また、夫々のカッター支承板５ａ〜５ｄに、その外周縁の一部を外側に湾曲させた挿入ガイド部１３ａ〜１３ｄを設けたので、カッター羽根７ａ〜７ｄを間違って隣の隙間に挿入してしまうようなことなく、適正な隙間６ａ〜６ｄに容易に差し込んで使用することができる。
【００２７】
また、挿入ガイド部１３ａ〜１３ｄの両端に設けた規制面（フランジ９ａ又は９ｂ）により、隙間６ａ〜６ｄに挿入したカッター羽根７ａ〜７ｄの引き抜きが防止されるので、投光中に誤ってカッター羽根７ａ〜７ｄが脱落してしまうような虞れがない。しかも、その規制面（フランジ９ａ又は９ｂ）を切込み７３に挿入すれば、カッター羽根７ａ〜７ｄの摺動範囲がその切込み７３の長さ分だけ拡大され、カッター羽根７ａ〜７ｄを隙間６ａ〜６ｄから容易に引き抜くことができる。
【００２８】
また、回転板２３をフリー位置に回転操作すれば、各カッター支承板５ａ〜５ｄとカッター羽根７ａ〜７ｄとの密接度合いが緩和されて各カッター羽根７ａ〜７ｄの摺動が自在となり、回転板２３をロック位置に回転操作すれば、各カッター支承板５ａ〜５ｄとカッター羽根７ａ〜７ｄとの密接度合いが強くなり、各カッター羽根７ａ〜７ｄの摺動が規制される。
【００２９】
以上、本発明に係るフレーミングカッター機構を採用したスポットライトの実施形態の一例を図面を参照して説明したが、本発明は図示例に限定されるものではなく、特許請求の範囲の各請求項に記載された技術的思想の範疇であれば、各種の実施形態に対応することが可能である。
【００３０】
【発明の効果】
本発明は以上説明したように構成したので、以下の効果を奏する。
（請求項１）
４スロット４枚羽根構造であるため、夫々のカッター羽根を摺動操作する上での制約がなく、投影像の照射範囲を幅広く調整することができる。また、夫々のカッター羽根を隙間に挿入するための挿入ガイド部を有するので、カッター羽根を容易に交換することができる。
【００３１】
（請求項２）
挿入ガイド部の両端に規制面を設けたので、投光中に誤ってカッター羽根が隙間から脱落してしまうような虞れを防止し得、安心して投影像の照射範囲を調整することができる。また、カッター羽根の操作用把手に設けた切込みにその規制面を挿入することで、カッター羽根の摺動範囲をその切込みの長さ分だけ拡大させ、カッター羽根を隙間から容易に引き抜くことができる。
【００３２】
（請求項３）
各カッター羽根の摺動を規制するロック位置と、その規制を解除するフリー位置とに切換え可能なロック機構を備えたので、投影像の照射範囲の調整状態を固定して、上下方向の傾斜角度や水平方向の回動角度などの投光角度調整やフォーカス調整，ズーム調整等の各種投光作業を容易に行うことができる。
【図面の簡単な説明】
【図１】本発明に係るフレーミングカッター機構を搭載したスポットライトの一例を示す簡略側面図。
【図２】本発明に係るフレーミングカッター機構の実施形態の一例を示す分解斜視図。
【図３】カッター支承板の間の隙間にカッター羽根を挿入した状態の拡大斜視図。
【図４】カッター支承板の断面図。
【図５】カッター羽根の引き抜き防止状態を示す作動図。
【図６】カッター羽根の引き抜きを可能にする状態を表す作動図。
【図７】ロック機構におけるロック状態とフリー状態を表す固定板と回転板の要部断面図。
【符号の説明】
ａ：灯体
１：ランプハウス
１ａ：電球
１ｂ：反射鏡
２：レンズ筒
４：フレーミングカッター機構
５ａ〜５ｅ：カッター支承板
６ａ〜６ｄ：隙間
７ａ〜７ｄ：カッター羽根
７１：カッター部
７２：操作用把手
７３：切欠き
９ａ，９ｂ：フランジ（規制面）
１３ａ〜１３ｄ：挿入ガイド部
２０：ロック機構
Ｌ：光軸
【図１】
2004055216.tif 000003
【図２】
2004055216.tif 000004
【図３】
2004055216.tif 000005
【図４】
2004055216.tif 000006
【図５】
2004055216.tif 000007
【図６】
2004055216.tif 000008
【図７】
2004055216.tif 000009